(57)【特許請求の範囲】
【請求項１】
当該第１筐体に対する保持を圧力として検出するための第１圧力検出手段と、
タッチ検出機能と表示機能を備える第１タッチパネルと、
前記第１タッチパネルに対向した撮影対象を撮影する第１撮影手段と、
を備える第１筐体と、
当該第２筐体に対する保持を圧力として検出するための第２圧力検出手段と、
タッチ検出機能と表示機能を備える第２タッチパネルと、
前記第２タッチパネルに対向した撮影対象を撮影する第２撮影手段と、
を備える第２筐体と、
前記第１筐体と前記第２筐体とが、前記第１タッチパネルと前記第２タッチパネルとが異なった方向を向くように結合されている状態において、前記第１圧力検出手段が圧力を検出し、且つ、前記第２撮影手段が撮影した顔面が所定の向きを向いているという第１判断をすれば、前記第１タッチパネルに対して操作画面を表示させる手段と、
前記第１筐体と前記第２筐体とが、前記第１タッチパネルと前記第２タッチパネルとが異なった方向を向くように結合されている状態において、前記第２圧力検出手段が圧力を検出し、且つ、前記第１撮影手段が撮影した顔面が所定の向きを向いているという第２判断をすれば、前記第２タッチパネルに対して操作画面を表示させる手段と、
を備えることを特徴とする携帯電子機器。
【請求項２】
請求項１に記載の携帯電子機器であって、
前記第１判断がなされたならば、前記第２タッチパネルのタッチ検出機能を無効にする手段と、
前記第２判断がなされたならば、前記第１タッチパネルのタッチ検出機能を無効にする手段を更に備えることを特徴とする携帯電子機器。
【請求項３】
請求項１又は２に記載の携帯電子機器であって、
前記第１筐体と前記第２筐体とが、前記第１表示手段と前記第２表示手段とが異なった方向を向くように結合されている状態において、前記第１圧力検出手段が圧力を検出し、且つ、前記第２撮影手段が撮影した顔面が所定の向きを向いていないという第３判断をすれば、前記第２タッチパネルに対して操作画面を表示させる手段と、
前記第１筐体と前記第２筐体とが、前記第１表示手段と前記第２表示手段とが異なった方向を向くように結合されている状態において、前記第２圧力検出手段が圧力を検出し、且つ、前記第１撮影手段が撮影した顔面が所定の向きを向いていないという第４判断をすれば、前記第１タッチパネルに対して操作画面を表示させる手段と、
を更に備えることを特徴とする携帯電子機器。
【請求項４】
請求項３に記載の携帯電子機器であって、
前記第３判断がなされたならば、前記第１タッチパネルのタッチ検出機能を無効にする手段と、
前記第４判断がなされたならば、前記第２タッチパネルのタッチ検出機能を無効にする手段と、
を更に備えることを特徴とする携帯電子機器。
【請求項５】
請求項１乃至４の何れか１項に記載の携帯電子機器であって、
前記操作画面に対して一定時間入力が無い場合、前記操作画面を消灯させる手段を更に備えることを特徴とする携帯電子機器。
【請求項６】
請求項１乃至５の何れか１項に記載の携帯電子機器であって、
前記第１の筐体は、第１マイク及び第１スピーカを備え、
前記第２の筐体は、第２マイク及び第２スピーカを備え、
前記第１タッチパネルに対して操作画面を表示させる場合、前記第１マイク及び第２スピーカを有効にする手段と、
前記第２タッチパネルに対して操作画面を表示させる場合、前記第２マイク及び第１スピーカを有効にする手段と、
を更に備えることを特徴とする携帯電子機器。
【請求項７】
当該第１筐体に対する保持を圧力として検出するための第１圧力検出手段と、
タッチ検出機能と表示機能を備える第１タッチパネルと、
前記第１タッチパネルに対向した撮影対象を撮影する第１撮影手段と、
を備える第１筐体と、
当該第２筐体に対する保持を圧力として検出するための第２圧力検出手段と、
タッチ検出機能と表示機能を備える第２タッチパネルと、
前記第２タッチパネルに対向した撮影対象を撮影する第２撮影手段と、
を備える第２筐体と、
を備える携帯電子機器における制御方法であって、
前記第１筐体と前記第２筐体とが、前記第１タッチパネルと前記第２タッチパネルとが異なった方向を向くように結合されている状態において、前記第１圧力検出手段が圧力を検出し、且つ、前記第２撮影手段が撮影した顔面が所定の向きを向いているという第１判断をすれば、前記第１タッチパネルに対して操作画面を表示させる手順と、
前記第１筐体と前記第２筐体とが、前記第１タッチパネルと前記第２タッチパネルとが異なった方向を向くように結合されている状態において、前記第２圧力検出手段が圧力を検出し、且つ、前記第１撮影手段が撮影した顔面が所定の向きを向いているという第２判断をすれば、前記第２タッチパネルに対して操作画面を表示させる手順と、
を有することを特徴とする制御方法。
【請求項８】
当該第１筐体に対する保持を圧力として検出するための第１圧力検出手段と、
タッチ検出機能と表示機能を備える第１タッチパネルと、
前記第１タッチパネルに対向した撮影対象を撮影する第１撮影手段と、
を備える第１筐体と、
当該第２筐体に対する保持を圧力として検出するための第２圧力検出手段と、
タッチ検出機能と表示機能を備える第２タッチパネルと、
前記第２タッチパネルに対向した撮影対象を撮影する第２撮影手段と、
を備える第２筐体と、
前記第１筐体と前記第２筐体とが、前記第１タッチパネルと前記第２タッチパネルとが異なった方向を向くように結合されている状態において、前記第１圧力検出手段が圧力を検出し、且つ、前記第２撮影手段が撮影した顔面が所定の向きを向いているという第１判断をすれば、前記第１タッチパネルに対して操作画面を表示させる手段と、
前記第１筐体と前記第２筐体とが、前記第１タッチパネルと前記第２タッチパネルとが異なった方向を向くように結合されている状態において、前記第２圧力検出手段が圧力を検出し、且つ、前記第１撮影手段が撮影した顔面が所定の向きを向いているという第２判断をすれば、前記第２タッチパネルに対して操作画面を表示させる手段と、
を備えることを特徴とする携帯電子機器としてコンピュータを機能させるためのプログラム。
【発明の詳細な説明】
【技術分野】
【０００１】
本発明は、タッチパネル液晶を二画面有する開閉式携帯電子機器において、その情報表示を制御しユーザの操作性向上及び消費電力が低減できる携帯電子機器、その制御方法及びその制御プログラムに関する。
【背景技術】
【０００２】
携帯通信端末が普及し、様々なデザインの端末が市場で見受けられるが、その形状の多くは二つ折りと言われる開閉式タイプである。これらのデザインは端末製造メーカにより異なるが、表示筐体と操作筐体の厚みはほぼ同じであるものが多い。そのため、いざ使用する際にどちらの筐体が表示／操作筐体なのかを直ぐに確認できず、目視で確認してから持ち直したり、筐体を一度開いてから筐体の向きを変えて持ち直したりする手間が生じてしまう。
【０００３】
また、二画面表示で消費電力が多いため、電池の持ち時間が短いという課題がある。
【０００４】
そこで、特許文献1乃至３では、傾きを検出して表示筐体／操作筐体を切りかえる発明が、特許文献４では、一定時間操作が検出されない場合は、操作画面を消去する発明が、それぞれ開示されている。
【先行技術文献】
【特許文献】
【０００５】
【特許文献１】特開２００６−２７９７６９号公報
【特許文献２】特開２００６−３１１２２４号公報
【特許文献３】特開２００５−１５１５４８号公報
【特許文献４】特開２００９−１０５８１７号公報
【発明の概要】
【発明が解決しようとする課題】
【０００６】
しかしながら、特許文献1及び３に開示されている発明は、利用者に対する相対的な傾きを検出しているものではないため、利用者の体勢によっては、所望の向きとは逆向きで動作してしまうおそれがある。
【０００７】
また、特許文献４に開示されている発明は、単に一定時間操作があるか否かのみで制御するものであり、２画面有するため電力を多く消費するという問題を解決するには足りない。
【０００８】
本発明は上記に鑑みてなされたもので、情報表示を制御し、ユーザの操作性向上及び消費電力が低減できる携帯電子機器、その制御方法及びその制御プログラムを提供することを目的とする。
【課題を解決するための手段】
【０００９】
上述の問題を解決するため、本発明に係る携帯電子機器は、当該第１筐体に対する保持を圧力として検出するための第１圧力検出手段と、タッチ検出機能と表示機能を備える第１タッチパネルと、前記タッチパネルに対向した撮影対象を撮影する第１撮影手段と、を備える第１筐体と、当該第２筐体に対する保持を圧力として検出するための第２圧力検出手段と、タッチ検出機能と表示機能を備える第２タッチパネルと、前記第２タッチパネルに対向した撮影対象を撮影する第２撮影手段と、を備える第２筐体と、前記第１筐体と前記第２筐体とが、前記第１タッチパネルと前記第２タッチパネルとが異なった方向を向くように結合されている状態において、前記第１圧力検出手段が圧力を検出し、且つ、前記第２撮影手段が撮影した顔面が所定の向きを向いているという第１判断をすれば、前記第１タッチパネルに対して操作画面を表示させる手段と、前記第１筐体と前記第２筐体とが、前記第１タッチパネルと前記第２タッチパネルとが異なった方向を向くように結合されている状態において、前記第２圧力検出手段が圧力を検出し、且つ、前記第１撮影手段が撮影した顔面が所定の向きを向いているという第２判断をすれば、前記第２タッチパネルに対して操作画面を表示させる手段と、を備えることを特徴とする。
【００１０】
上述の問題を解決するため、本発明に係る携帯電子機器の制御方法は、当該第１筐体に対する保持を圧力として検出するための第１圧力検出手段と、タッチ検出機能と表示機能を備える第１タッチパネルと、前記タッチパネルに対向した撮影対象を撮影する第１撮影手段と、を備える第１筐体と、当該第２筐体に対する保持を圧力として検出するための第２圧力検出手段と、タッチ検出機能と表示機能を備える第２タッチパネルと、前記第２タッチパネルに対向した撮影対象を撮影する第２撮影手段と、を備える第２筐体と、を備える携帯電子機器における制御方法であって、前記第１筐体と前記第２筐体とが、前記第１タッチパネルと前記第２タッチパネルとが異なった方向を向くように結合されている状態において、前記第１圧力検出手段が圧力を検出し、且つ、前記第２撮影手段が撮影した顔面が所定の向きを向いているという第１判断をすれば、前記第１タッチパネルに対して操作画面を表示させる手順と、前記第１筐体と前記第２筐体とが、前記第１タッチパネルと前記第２タッチパネルとが異なった方向を向くように結合されている状態において、前記第２圧力検出手段が圧力を検出し、且つ、前記第１撮影手段が撮影した顔面が所定の向きを向いているという第２判断をすれば、前記第２タッチパネルに対して操作画面を表示させる手順と、を有することを特徴とする。
【００１１】
上述の問題を解決するため、本発明に係る携帯電子機器の制御プログラムは、当該第１筐体に対する保持を圧力として検出するための第１圧力検出手段と、タッチ検出機能と表示機能を備える第１タッチパネルと、前記タッチパネルに対向した撮影対象を撮影する第１撮影手段と、を備える第１筐体と、当該第２筐体に対する保持を圧力として検出するための第２圧力検出手段と、タッチ検出機能と表示機能を備える第２タッチパネルと、前記第２タッチパネルに対向した撮影対象を撮影する第２撮影手段と、を備える第２筐体と、前記第１筐体と前記第２筐体とが、前記第１タッチパネルと前記第２タッチパネルとが異なった方向を向くように結合されている状態において、前記第１圧力検出手段が圧力を検出し、且つ、前記第２撮影手段が撮影した顔面が所定の向きを向いているという第１判断をすれば、前記第１タッチパネルに対して操作画面を表示させる手段と、前記第１筐体と前記第２筐体とが、前記第１タッチパネルと前記第２タッチパネルとが異なった方向を向くように結合されている状態において、前記第２圧力検出手段が圧力を検出し、且つ、前記第１撮影手段が撮影した顔面が所定の向きを向いているという第２判断をすれば、前記第２タッチパネルに対して操作画面を表示させる手段と、を備えることを特徴とする携帯電子機器としてコンピュータを機能させる。
【発明の効果】
【００１２】
本発明によれば、情報表示を制御しユーザの操作性向上及び消費電力が低減できる携帯電子機器、その制御方法及びその制御プログラムを提供することができる。
【図面の簡単な説明】
【００１３】
【図１】本発明の第１の実施の形態に係る携帯電子機器の構成を示す図である。
【図２】本発明の第１の実施の形態に係る携帯電子機器の外観例を示す図である。
【図３】本発明の第１の実施の形態に係る携帯電子機器における圧力センサの配置例である。
【図４】本発明の第１の実施の形態における処理を示すフローチャートである。
【図５】ステップＳ４及びＳ６における本発明の第１の実施の形態の携帯電子機器の外観例を示す図である。
【図６】本発明の第２の実施の形態に係る携帯電子機器の構成を示す図である。
【図７】本発明の第２の実施の形態に係る携帯電子機器の外観例を示す図である。
【図８】本発明の第２の実施の形態における処理を示すフローチャートである。
【図９】ステップＳ１６及びＳ１９における本発明の第２の実施の形態の携帯電子機器の外観例を示す図である。
【図１０】本発明の第３の実施の形態における処理を示すフローチャートである。
【図１１】本発明の第４の実施の形態に係る携帯電子機器の外観例を示す図である。
【発明を実施するための形態】
【００１４】
［第１の実施の形態］
第１の実施の形態は、二つのタッチパネル液晶を内側に有する開閉式携帯電子機器を開く。開閉検出及び圧力検出により内側液晶パネルを駆動させ、ユーザが使用する向き（上下）を判断し、上部液晶は通常の表示画面（待ち受け画面など）を自動表示させ（タッチパネルは無効とし）、下部液晶は通常の操作部分にあたる数字キー（１０キー）を自動表示させる（タッチパネルは有効とする）ものである。
【００１５】
以下、図面に基づいて本発明の第１の実施の形態について説明する。ここで、図１は本発明の第１の実施の形態に係る携帯電子機器の構成を示す図である。第１の実施の形態に係る携帯電子機器１００は、図１に示すように、第一の筐体である筐体２００−１と第二の筐体である筐体２００−２とヒンジ２０１とを備える。
【００１６】
筐体２００−１は、第一の圧力センサである圧力センサ２０２−１と、第一の表示部である表示部２０３−１と、開閉検出部２０４と、制御部２０５とを有する。
【００１７】
圧力センサ２０２−１は、筐体２００−１を保持した際の圧力を感知する圧電素子である。また、圧力センサ２０２−１は、あらかじめ設定された圧力を感知した場合、その旨を制御部２０５へ通知する。ここで、あらかじめ設定された圧力とは、筐体２００−１を利用者が保持したときの筐体が受ける圧力である。
【００１８】
表示部２０３−１は、タッチパネル機能を有し、所定の情報を表示する。また表示部２０３−１は、制御部２０５からの指示により、タッチパネル機能を無効にする。また、表示部２０３−１は、制御部２０５からの指示により、操作用画面を表示する。表示部２０３−１は、操作用画面を表示している場合、タッチパネル機能を用いて外部から入力された情報を制御部２０５へ出力する。
【００１９】
開閉検出部２０４は、携帯電子機器１００が開いた状態を検出する。この検出方法は、機械的又は電気的に検出するものである。開閉検出部２０４は、携帯電子機器１００が開いた状態を検出した場合、この旨を制御部２０５へ通知する。
【００２０】
筐体２００−２には、第二の圧力センサである圧力センサ２０２−２と、第二の表示部である表示部２０３−２とが設けられている。圧力センサ２０２−２は、筐体２００−２を保持した際の圧力を感知する圧電素子であり、あらかじめ設定された圧力を感知した場合、その旨を制御部２０５へ通知する。ここであらかじめ設定された圧力とは、筐体２００−２を利用者が保持したときの筐体が受ける圧力である。
【００２１】
表示部２０３−２は、タッチパネル機能を有し、所定の情報を表示する。表示部２０３−２は、制御部２０５からの指示により、タッチパネル機能を無効にする。表示部２０３−２は、制御部２０５からの指示により、操作用画面を表示する。表示部２０３−２は、操作用画面を表示している場合、タッチパネル機能を用いて外部から入力された情報を制御部２０５へ出力する。
【００２２】
ここで、開閉検出部２０４及び制御部２０５は、筐体２００−１ではなく筐体２００−２に設けられても良い。また、開閉検出部２０４が筐体２００−２に設けられ、制御部２０５が筐体２００−１に設けられても良い。
【００２３】
図２は、本発明の第１の実施の形態に係る携帯電子機器の外観例を示す図である。図１に示した携帯電子機器１００は、図２に示すように、筐体２００−１と筐体２００−２とがヒンジ２０１によって連結されて携帯電子機器１００を構成している。
【００２４】
表示部２０３−１及び表示部２０３−２は、筐体２００−１及び筐体２００−２がヒンジ２０１を中心として開かれたときに露出して、利用者の操作の用に供するようになっている。
【００２５】
図３は、本発明の第１の実施の形態に係る携帯電子機器１００における圧力センサ２０２−１、２０２−２の配置例である。携帯電子機器１００を開いた際、筐体２００−１、２００−２を手で保持する力を圧力センサ２０２−１又は２０２−２にて感知する事が可能である。
【００２６】
以下に、本発明の第１の実施の形態における処理について説明する。ここで、図４は、本発明の第１の実施の形態における処理を示すフローチャートである。
【００２７】
まず、開閉検出部２０４にて、携帯電子機器１００が開いた状態であるかどうかが検出される（ステップＳ１）。携帯電子機器１００が開いた状態であると検出された場合、その旨が開閉検出部２０４から制御部２０５へ通知される。
【００２８】
携帯電子機器１００が開いた状態を検出した旨が通知されると、圧力センサ２０２−１又は２０２−２にて所定の圧力が感知されたかどうかが制御部２０５にて判断される（ステップＳ２）。
【００２９】
圧力センサ２０２−２から所定の圧力を感知した旨が通知されてきた場合、制御部２０５によって、表示部２０３−２へ操作用画面の表示が指示され、表示部２０３−２に操作用画面が表示される（ステップＳ３）。
【００３０】
また、制御部２０５によって、表示部２０３−１のタッチパネル機能が無効にされる（ステップＳ４）。
【００３１】
一方、圧力センサ２０２−１から所定の圧力を感知した旨が通知されてきた場合、制御部２０５によって、表示部２０３−１へ操作用画面の表示が指示され、表示部２０３−１に操作用画面が表示される（ステップＳ５）。
【００３２】
また、制御部２０５によって、表示部２０３−２のタッチパネル機能が無効にされる（ステップＳ６）。
【００３３】
図５は、ステップＳ４及びＳ６における本発明の第１の実施の形態の携帯電子機器１００の外観例を示す図である。図５の左図において圧力センサが感知した筐体２００−２の表示部２０３−２には操作用画面が表示され、圧力センサが感知していない筐体側２００−１の表示部２０３−１には、所定の情報（一般的にディスプレイ等に表示される情報）が表示され、タッチパネル機能は無効となっている。
【００３４】
逆に筐体２００−１の圧力センサが感知した場合が図５の右図であり、表示部２０３−１には操作用画面が表示され、圧力センサが感知していない筐体側２００−２の表示部２０３−２には、所定の情報（一般的にディスプレイ等に表示される情報）が表示され、タッチパネル機能は無効となっている。
【００３５】
以上説明したように、本発明の第１の実施の形態によれば、ユーザは携帯電子機器の向きを気にする事なく、機器を開いた向きを正として利用する事が可能となる。これにより、ポケットやホルダー、鞄の中や暗闇など、ユーザが筐体の向きを判断しにくい場所にあっても、筐体の向きを確認する動作なく利用する事ができ、操作性が向上する効果がある。またタッチパネルが二枚ある事により、一つの液晶のみを使用する事が減る為、通常の使用時よりは故障が減るため、長期間使用する事が可能となる。
【００３６】
本発明はユーザ本人以外の人と使用する際にも効果がある。使用中（通話、メール、ブラウザー）の端末を他人に渡す場合、通常は端末の向きを考慮して手渡したり、又は手渡したあと持ち替えるなど手間が発生したりしていたが、他人へ渡した際に圧力センサが作動する事により、それらの手間を省いてスムーズに使用する事が可能となる。
【００３７】
［第２の実施の形態］
第２の実施の形態は、第１の実施の形態に加え、携帯電子機器に撮影機能を有するカメラを設けたものである。筐体開閉検出後、制御部制御により画像撮影を行う。撮影された画像から顔認識機能により利用者の顔の向き（上下）を識別出来る様にしたものである。２つの検出機能を有するため補正機能として役立つというものである。ここで、図６は、本発明の第２の実施の形態に係る携帯電子機器の構成を示す図である。
【００３８】
本発明の第２の実施の形態は図６に示すように、図１に示した第１の実施の形態の筐体２００−１、２００−２に第一のカメラであるカメラ２０６−１、第二のカメラである２０６−２がそれぞれ設けられている。
【００３９】
圧力センサ２０２−１、２０２−２、表示部２０３−１、２０３−２及び開閉検出部２０４は、第１の実施の形態におけるものと同じである。
【００４０】
カメラ２０６−１、２０６−２は、一般的な携帯端末に搭載されているような画像の撮影機能を有する小型カメラである。また、カメラ２０６−１、２０６−２は、制御部２０５から撮影を指示された場合、撮影を行い、撮影した画像を制御部２０５へ出力する。
【００４１】
図７は、本発明の第１の実施の形態に係る携帯電子機器の外観例を示す図である。図６に示した携帯電子機器１００は、図２に示した携帯電子機器にカメラ２０６−１、２０６−２が実装されている。
【００４２】
以下に、第２の実施の形態における処理について説明する。図８は、本発明の第２の実施の形態における処理を示すフローチャートである。
【００４３】
まず、開閉検出部２０４にて、携帯電子機器１００が開いた状態であるかどうか検出される（ステップＳ１１）。この検出方法については、第１の実施の形態におけるものと同じである。第２の実施の形態の特徴は、カメラ撮影により利用者の顔の向きを検知できる点である。仮に圧力センサで誤感知した際（ステップＳ１３）でも、カメラ２０６−１、２０６−２撮影による利用者の顔面の画像が所定の向きであるか否かの顔認証を行う。画像が所定の向きであれば第一の実施の形態と同様に、各圧力センサが検出した結果に基づき、各表示部の操作画面表示及びタッチパネル機能の無効化を行い、画像が所定の向きでない場合は、各圧力センサが検出した結果に反する各表示部の操作画面表示及びタッチパネル機能の無効化を行う。
【００４４】
具体的には、制御部２０５は、開閉検出部２０４が筐体２００−１と筐体２００−２との開状態を検出した旨の通知を受けた場合、カメラ２０６−１及びカメラ２０６−２に利用者の顔面をそれぞれ撮影させ、圧力センサ２０２−１が所定の圧力を検知したときはカメラ２０６−２の撮影画像が所定の向きであるか否かの顔認証を行い、この画像が所定の向きであれば表示部２０３−１に操作用画面を表示させ、表示部２０３−２のタッチパネル機能を無効とし、画像が所定の向きでない場合は表示部２０３−２に操作用画面を表示させ表示部２０３−１のタッチパネル機能を無効とし、圧力センサ２０２−２が所定の圧力を検知したときはカメラ２０６−１の撮影画像が所定の向きであるか否かの顔認証を行い、この画像が所定の向きであれば表示部２０３−２に操作用画面を表示させ表示部２０３−１のタッチパネル機能を無効とし、画像が所定の向きでない場合は表示部２０３−１に操作用画面を表示させ表示部２０３−２のタッチパネル機能を無効とする。
【００４５】
これにより、利用者が意図する表示画補正を行う事ができる（ステップＳ１４、Ｓ１７）。
【００４６】
図９は、ステップＳ１６及びＳ１９における本発明の第２の実施の形態の携帯電子機器の外観例を示す図である。図９の左図は、カメラ２０６−１が所定の向きで撮影又はカメラ２０６−２が所定の向きで撮影されなかった時であり、筐体２００−２の表示部２０３−２には操作用画面が表示され（ステップＳ１５）、筐体２００−１の表示部２０３−１には情報用画面が表示され、タッチパネル機能は無効となっている。
【００４７】
図９の右図はカメラ２０６−２が所定の向きで撮影又はカメラ２０６−１が所定の向きで撮影されなかった時であり、筐体２００−１の表示部２０３−１には操作用画面が表示され（ステップＳ１８）、筐体２００−２の表示部２０３−２には情報用画面が表示され、タッチパネル機能は無効となっている。
【００４８】
［第３の実施の形態］
第３の実施の形態は、第１の実施の形態において、二つの表示部の内、操作不要な場合に操作画面を消す機能（画面表示制御機能）を設けたものである。大画面の表示部を閲覧中は、操作が不要となるため、一定時間操作しない場合は操作画面を消す事により消費電力を低減する事が可能となる。
【００４９】
以下に、第３の実施の形態における処理について説明する。ここで、図１０は、本発明の第３の実施の形態における処理を示すフローチャートである。
【００５０】
開閉検出後に表示部切り替えを行うところまでは第１の実施の形態と同じである（ステップＳ２４、Ｓ２７）。その後、操作用画面を一定時間操作せず、つまり操作用画面に一定時間入力がないまま、情報用画面を閲覧している状況においては消費電力を低減させる目的で操作用画面を消灯させる（ステップＳ２５、Ｓ２８）。継続して操作を行う際は再度携帯電子機器を強く保持することにより各圧力センサが所定の圧力を感知し、操作用画面を起動することができる（ステップＳ２９→Ｓ２２）。
【００５１】
なお、第２の実施の形態が、第３の実施の形態の画面表示制御機能を備えていてもよい。
【００５２】
［第４の実施の形態］
第４の実施の形態は、第１の実施の形態に加え、外部から音声を入力するマイクと外部へ音声を出力するスピーカを設けた通話機能を有する携帯端末（携帯電話）である。二つの筐体にそれぞれ一対のマイクとスピーカを具備し、利用者が保持する向きによりマイクとスピーカが適切に切り替わる仕組みである。
【００５３】
図１１は、本発明の第４の実施の形態に係る携帯電子機器の外観例を示す図である。第４の実施の形態では、通信機能を有し、筐体２００−１には第一のマイクであるマイク２０７−１と第一のスピーカであるスピーカ２０８−１を備え、筐体２００−２には第二のマイクであるマイク２０７−２と第二のスピーカであるスピーカ２０８−２とを備える。
【００５４】
第４の実施の形態も、開閉検出後に表示部切り替えを行うところまでは第１の実施の形態と同じである。表示部切り替えを行う際、情報用画面の筐体側は、スピーカが動作状態となり、操作用画面の筐体側は、マイクが有効となる。同一筐体（２００−１もしくは２００−２）に具備された一対のマイクとスピーカは同時に有効とはならず、どちらか一方は無効となるよう制御される。
【００５５】
具体的には、制御部２０５は、表示部２０３−１に操作用画面を表示させる場合、マイク２０７−１及びスピーカ２０８−２を有効とし、表示部２０３−２に操作用画面を表示させる場合、マイク２０７−２及びスピーカ２０８−１を有効とする。
【００５６】
なお、第２の実施の形態又は第３の実施の形態が、第４の実施の形態のマイク及びスピーカを備えていてもよい。
【００５７】
また、第１〜４の実施の形態において、圧力センサ２０２−１、２０２−２の有効／無効がそれぞれ設定できるようであってもよい。
【００５８】
本発明は、物である携帯電子機器の発明のみならず、携帯電子機器の制御方法の発明及び携帯電子機器の制御プログラムの発明としても実施できる。
【００５９】
第１〜４の実施の形態による携帯電子機器は、ハードウェアによっても実現することもできるが、コンピュータをその携帯電子機器として機能させるためのプログラムをコンピュータがコンピュータで読み取り可能な記録媒体から読み込んで実行することによっても実現することが出来る。
【００６０】
また、第１〜４の実施の形態による携帯電子機器の制御の方法は、ハードウェアによっても実現することもできるが、コンピュータにその方法を実行させるためのプログラムをコンピュータがコンピュータで読み取り可能な記録媒体から読み込んで実行することによっても実現することが出来る。
【００６１】
上記の実施形態の一部または全部は、以下の付記のようにも記載されるが、以下には限られない。
【００６２】
（付記１）
当該第１筐体に対する保持を圧力として検出するための第１圧力検出手段と、
タッチ検出機能と表示機能を備える第１タッチパネルと、
前記第１タッチパネルに対向した撮影対象を撮影する第１撮影手段と、
を備える第１筐体と、
当該第２筐体に対する保持を圧力として検出するための第２圧力検出手段と、
タッチ検出機能と表示機能を備える第２タッチパネルと、
前記第２タッチパネルに対向した撮影対象を撮影する第２撮影手段と、
を備える第２筐体と、
前記第１筐体と前記第２筐体とが、前記第１タッチパネルと前記第２タッチパネルとが異なった方向を向くように結合されている状態において、前記第１圧力検出手段が圧力を検出し、且つ、前記第２撮影手段が撮影した顔面が所定の向きを向いているという第１判断をすれば、前記第１タッチパネルに対して操作画面を表示させる手段と、
前記第１筐体と前記第２筐体とが、前記第１タッチパネルと前記第２タッチパネルとが異なった方向を向くように結合されている状態において、前記第２圧力検出手段が圧力を検出し、且つ、前記第１撮影手段が撮影した顔面が所定の向きを向いているという第２判断をすれば、前記第２タッチパネルに対して操作画面を表示させる手段と、
を備えることを特徴とする携帯電子機器。
【００６３】
（付記２）
付記１に記載の携帯電子機器であって、
前記第１判断がなされたならば、前記第２タッチパネルのタッチ検出機能を無効にする手段と、
前記第２判断がなされたならば、前記第１タッチパネルのタッチ検出機能を無効にする手段を更に備えることを特徴とする携帯電子機器。
【００６４】
（付記３）
付記１又は２に記載の携帯電子機器であって、
前記第１筐体と前記第２筐体とが、前記第１表示手段と前記第２表示手段とが異なった方向を向くように結合されている状態において、前記第１圧力検出手段が圧力を検出し、且つ、前記第２撮影手段が撮影した顔面が所定の向きを向いていないという第３判断をすれば、前記第２タッチパネルに対して操作画面を表示させる手段と、
前記第１筐体と前記第２筐体とが、前記第１表示手段と前記第２表示手段とが異なった方向を向くように結合されている状態において、前記第２圧力検出手段が圧力を検出し、且つ、前記第１撮影手段が撮影した顔面が所定の向きを向いていないという第４判断をすれば、前記第１タッチパネルに対して操作画面を表示させる手段と、
を更に備えることを特徴とする携帯電子機器。
【００６５】
（付記４）
付記３に記載の携帯電子機器であって、
前記第３判断がなされたならば、前記第１タッチパネルのタッチ検出機能を無効にする手段と、
前記第４判断がなされたならば、前記第２タッチパネルのタッチ検出機能を無効にする手段と、
を更に備えることを特徴とする携帯電子機器。
【００６６】
（付記５）
付記１乃至４の何れか１に記載の携帯電子機器であって、
前記操作画面に対して一定時間入力が無い場合、前記操作画面を消灯させる手段を更に備えることを特徴とする携帯電子機器。
【００６７】
（付記６）
付記１乃至５の何れか１に記載の携帯電子機器であって、
前記第１の筐体は、第１マイク及び第１スピーカを備え、
前記第２の筐体は、第２マイク及び第２スピーカを備え、
前記第１タッチパネルに対して操作画面を表示させる場合、前記第１マイク及び第２スピーカを有効にする手段と、
前記第２タッチパネルに対して操作画面を表示させる場合、前記第２マイク及び第１スピーカを有効にする手段と、
を更に備えることを特徴とする携帯電子機器。
【００６８】
（付記７）
当該第１筐体に対する保持を圧力として検出するための第１圧力検出手段と、
タッチ検出機能と表示機能を備える第１タッチパネルと、
前記第１タッチパネルに対向した撮影対象を撮影する第１撮影手段と、
を備える第１筐体と、
当該第２筐体に対する保持を圧力として検出するための第２圧力検出手段と、
タッチ検出機能と表示機能を備える第２タッチパネルと、
前記第２タッチパネルに対向した撮影対象を撮影する第２撮影手段と、
を備える第２筐体と、
を備える携帯電子機器における制御方法であって、
前記第１筐体と前記第２筐体とが、前記第１タッチパネルと前記第２タッチパネルとが異なった方向を向くように結合されている状態において、前記第１圧力検出手段が圧力を検出し、且つ、前記第２撮影手段が撮影した顔面が所定の向きを向いているという第１判断をすれば、前記第１タッチパネルに対して操作画面を表示させる手順と、
前記第１筐体と前記第２筐体とが、前記第１タッチパネルと前記第２タッチパネルとが異なった方向を向くように結合されている状態において、前記第２圧力検出手段が圧力を検出し、且つ、前記第１撮影手段が撮影した顔面が所定の向きを向いているという第２判断をすれば、前記第２タッチパネルに対して操作画面を表示させる手順と、
を有することを特徴とする制御方法。
【００６９】
（付記８）
付記７に記載の制御方法であって、
前記第１判断がなされたならば、前記第２タッチパネルのタッチ検出機能を無効にする手順と、
前記第２判断がなされたならば、前記第１タッチパネルのタッチ検出機能を無効にする手順を更に有することを特徴とする制御方法。
【００７０】
（付記９）
付記７又は８に記載の制御方法であって、
前記第１筐体と前記第２筐体とが、前記第１表示手段と前記第２表示手段とが異なった方向を向くように結合されている状態において、前記第１圧力検出手段が圧力を検出し、且つ、前記第２撮影手段が撮影した顔面が所定の向きを向いていないという第３判断をすれば、前記第２タッチパネルに対して操作画面を表示させる手順と、
前記第１筐体と前記第２筐体とが、前記第１表示手段と前記第２表示手段とが異なった方向を向くように結合されている状態において、前記第２圧力検出手段が圧力を検出し、且つ、前記第１撮影手段が撮影した顔面が所定の向きを向いていないという第４判断をすれば、前記第１タッチパネルに対して操作画面を表示させる手順と、
を更に有することを特徴とする制御方法。
【００７１】
（付記１０）
付記９に記載の制御方法であって、
前記第３判断がなされたならば、前記第１タッチパネルのタッチ検出機能を無効にする手順と、
前記第４判断がなされたならば、前記第２タッチパネルのタッチ検出機能を無効にする手順と、
を更に有することを特徴とする制御方法。
【００７２】
（付記１１）
付記７乃至１０の何れか１に記載の制御方法であって、
前記操作画面に対して一定時間入力が無い場合、前記操作画面を消灯させる手順を更に備えることを特徴とする制御方法。
【００７３】
（付記１２）
付記７乃至１１の何れか１に記載の制御方法であって、
前記第１の筐体は、第１マイク及び第１スピーカを備え、
前記第２の筐体は、第２マイク及び第２スピーカを備え、
前記第１タッチパネルに対して操作画面を表示させる場合、前記第１マイク及び第２スピーカを有効にする手順と、
前記第２タッチパネルに対して操作画面を表示させる場合、前記第２マイク及び第１スピーカを有効にする手順と、
を更に備えることを特徴とする制御方法。
【００７４】
（付記１３）
当該第１筐体に対する保持を圧力として検出するための第１圧力検出手段と、
タッチ検出機能と表示機能を備える第１タッチパネルと、
前記第１タッチパネルに対向した撮影対象を撮影する第１撮影手段と、
を備える第１筐体と、
当該第２筐体に対する保持を圧力として検出するための第２圧力検出手段と、
タッチ検出機能と表示機能を備える第２タッチパネルと、
前記第２タッチパネルに対向した撮影対象を撮影する第２撮影手段と、
を備える第２筐体と、
前記第１筐体と前記第２筐体とが、前記第１タッチパネルと前記第２タッチパネルとが異なった方向を向くように結合されている状態において、前記第１圧力検出手段が圧力を検出し、且つ、前記第２撮影手段が撮影した顔面が所定の向きを向いているという第１判断をすれば、前記第１タッチパネルに対して操作画面を表示させる手段と、
前記第１筐体と前記第２筐体とが、前記第１タッチパネルと前記第２タッチパネルとが異なった方向を向くように結合されている状態において、前記第２圧力検出手段が圧力を検出し、且つ、前記第１撮影手段が撮影した顔面が所定の向きを向いているという第２判断をすれば、前記第２タッチパネルに対して操作画面を表示させる手段と、
を備えることを特徴とする携帯電子機器としてコンピュータを機能させるためのプログラム。
【００７５】
（付記１４）
付記１３に記載のプログラムであって、
前記携帯電子機器は、
前記第１判断がなされたならば、前記第２タッチパネルのタッチ検出機能を無効にする手段と、
前記第２判断がなされたならば、前記第１タッチパネルのタッチ検出機能を無効にする手段を更に備えることを特徴とするプログラム。
【００７６】
（付記１５）
付記１３又は１４に記載のプログラムであって、
前記携帯電子機器は、
前記第１筐体と前記第２筐体とが、前記第１表示手段と前記第２表示手段とが異なった方向を向くように結合されている状態において、前記第１圧力検出手段が圧力を検出し、且つ、前記第２撮影手段が撮影した顔面が所定の向きを向いていないという第３判断をすれば、前記第２タッチパネルに対して操作画面を表示させる手段と、
前記第１筐体と前記第２筐体とが、前記第１表示手段と前記第２表示手段とが異なった方向を向くように結合されている状態において、前記第２圧力検出手段が圧力を検出し、且つ、前記第１撮影手段が撮影した顔面が所定の向きを向いていないという第４判断をすれば、前記第１タッチパネルに対して操作画面を表示させる手段と、
を更に備えることを特徴とするプログラム。
【００７７】
（付記１６）
付記１５に記載のプログラムであって、
前記携帯電子機器は、
前記第３判断がなされたならば、前記第１タッチパネルのタッチ検出機能を無効にする手段と、
前記第４判断がなされたならば、前記第２タッチパネルのタッチ検出機能を無効にする手段と、
を更に備えることを特徴とするプログラム。
【００７８】
（付記１７）
付記１３乃至１６の何れか１に記載のプログラムであって、
前記携帯電子機器は、
前記操作画面に対して一定時間入力が無い場合、前記操作画面を消灯させる手段を更に備えることを特徴とするプログラム。
【００７９】
（付記１８）
付記１３乃至１７の何れか１に記載のプログラムであって、
前記携帯電子機器は、
前記第１の筐体は、第１マイク及び第１スピーカを備え、
前記第２の筐体は、第２マイク及び第２スピーカを備え、
前記第１タッチパネルに対して操作画面を表示させる場合、前記第１マイク及び第２スピーカを有効にする手段と、
前記第２タッチパネルに対して操作画面を表示させる場合、前記第２マイク及び第１スピーカを有効にする手段と、
を更に備えることを特徴とするプログラム。
【産業上の利用可能性】
【００８０】
本発明は、タッチパネル液晶二枚を内側に内蔵した二つ折り通信機器に利用することができる。
【符号の説明】
【００８１】
１００  携帯電子機器
２００−１、２００−２  筐体
２０１  ヒンジ
２０２−１、２０２−２  圧力センサ
２０３−１、２０２−３  表示部
２０４  開閉検出部
２０５  制御部
２０６−１、２０６−２  カメラ
２０７−１、２０７−２  マイク
２０８−１、２０８−２  スピーカ
【図１】
0005637410.tif 000002
【図２】
0005637410.tif 000003
【図３】
0005637410.tif 000004
【図４】
0005637410.tif 000005
【図５】
0005637410.tif 000006
【図６】
0005637410.tif 000007
【図７】
0005637410.tif 000008
【図８】
0005637410.tif 000009
【図９】
0005637410.tif 000010
【図１０】
0005637410.tif 000011
【図１１】
0005637410.tif 000012